(57)【要約】      （修正有）【課題】投入口と細断部がそれぞれ一つで紙葉類と記録媒体とを単一の投入口に投入して細断でき、細断効率の向上と装置のコンパクト化を図ることができると共に、カバーの開閉に応じて細断物を識別可能とし、記録媒体細断時の飛散に対する安全性を向上させたシュレッダーを提供する。【解決手段】内部に屑箱を有する筐体１２と、前記筐体の上部に形成され、紙葉類又は記録媒体の被細断物を投入可能な単一投入口１４と、上部に記録媒体挿入口１６が形成され、前記単一投入口を覆うように設けられ且つ開閉可能に設けられた記録媒体細断用カバー１８と、前記筐体の上部に形成され、前記紙葉類又は前記記録媒体の細断の可否を表示する表示ランプ部２０と、前記筐体内に設けられ、前記単一投入口から投入された前記被細断物を細断するための細断刃を備えた単一細断部と、を有するようにした。【選択図】図１
2014171948.tif 000002
【特許請求の範囲】
【請求項１】
内部に屑箱を有する筐体と、
前記筐体の上部に形成され、紙葉類又は記録媒体の被細断物を投入可能な単一投入口と、
上部に記録媒体挿入口が形成され、前記単一投入口を覆うように設けられ且つ開閉可能に設けられた記録媒体細断用カバーと、
前記筐体の上部に形成され、前記紙葉類又は前記記録媒体の細断の可否を表示する表示ランプ部と、
前記筐体内に設けられ、前記単一投入口から投入された前記被細断物を細断するための細断刃を備えた単一細断部と、
を有し、
前記単一投入口に投入される被細断物に向けられた複数のセンサーを設け、前記カバーの開閉に応じてセンサー検知の有無を切り替え、前記紙葉類と前記記録媒体の細断の可否を表示ランプ部に表示してなることを特徴とするシュレッダー。
【請求項２】
前記センサーが、前記記録媒体挿入口に挿入される被細断物を検知する記録媒体用センサーと、前記単一投入口に投入される被細断物を検知する紙葉類用センサーと、
から構成され、
前記記録媒体細断用カバーが閉じている時は記録媒体用センサーが検知状態となり、
前記記録媒体細断用カバーが開いている時は記録媒体用センサーが非検知状態となることを特徴とする請求項１記載のシュレッダー。
【請求項３】
前記記録媒体挿入口が、前記記録媒体細断用カバーの中央に設けられ、
前記記録媒体挿入口に挿入される被細断物に向けて一つの記録媒体用センサーを設け、
前記記録媒体挿入口の領域外の前記単一投入口の長手方向両端部に向けて二つの紙葉類用センサーを設け、
前記二つの紙葉類用センサーを、記録媒体の直径以上離間せしめて配置することにより、
前記記録媒体細断用カバーが開いている時に前記記録媒体を投入しても細断されないようにしてことを特徴とする請求項１又は２記載のシュレッダー。
【請求項４】
前記記録媒体挿入口が、前記記録媒体細断用カバーの長手方向の一端部側に偏って設けられ、
前記記録媒体挿入口に挿入される被細断物に向けて一つの記録媒体用センサーを設け、
前記記録媒体挿入口の領域外かつ前記単一投入口の領域内に向けて一つの紙葉類用センサーを設けてなることを特徴とする請求項１又は２記載のシュレッダー。
【請求項５】
前記屑箱が、上部が開口された紙葉類用屑箱と前記紙葉類用屑箱の開口上部を覆うように載置可能な記録媒体用トレイを含み、前記記録媒体細断時には前記記録媒体用トレイを前記紙葉類用屑箱上に載置し、前記紙葉類細断時には前記記録媒体用トレイを前記紙葉類用屑箱の下に収納可能としてなり、
前記記録媒体用トレイが検知板を備え、前記筐体内部に屑箱をセットした際に前記検知板がセンサー検知されると前記表示ランプ部に記録媒体の細断が可能であることが表示されてなることを特徴とする請求項１〜４いずれか１項記載のシュレッダー。
【発明の詳細な説明】
【技術分野】
【０００１】
本発明は、廃棄用紙などの紙葉類とCD, DVDやFD等の記録媒体とを細断可能なシュレッダーに関し、より詳しくは投入口と細断部がそれぞれ一つで紙葉類と記録媒体とを単一の投入口に投入して細断するタイプのシュレッダーに関する。
【背景技術】
【０００２】
シュレッダーは、不要文書等の被細断物をその内容の判別が不能までに細断刃で細断する機械である。シュレッダー本体の上部には、被細断物を投入するための投入口が設けられており、前記投入口に投入された被細断物を細断するための細断刃が設けられている。
【０００３】
被細断物としては、廃棄用紙などの紙葉類とCD, DVDやフレキシブルディスクなどの記録媒体とに大別される。
【０００４】
例えば、廃棄用紙などの紙葉類と記録媒体とを細断できるようにしたシュレッダーとしては、特許文献１及び特許文献２がある。特許文献１では、紙葉類のための投入口と記録媒体のための投入口を分けており、特許文献２では、紙葉類のための投入口と記録媒体のための投入口を分けることに加えて紙葉類のための細断部と記録媒体のための細断部を設けている。
【０００５】
しかしながら、紙葉類のための投入口と記録媒体のための投入口を分けたり、紙葉類のための細断部と記録媒体のための細断部を設けるように構成すると、製造コストに対する細断効率の問題やシュレッダーをコンパクトにできないという問題があった。
【０００６】
また、記録媒体細断時の飛散防止のためのカバーが付いた従来のシュレッダーでは、カバーが開いていても記録媒体の細断が可能であり、細断屑が飛散する危険性があった。
【先行技術文献】
【特許文献】
【０００７】
【特許文献１】登録実用新案第３０９６４４９号公報
【特許文献２】特開２００７−９８１９０
【発明の概要】
【発明が解決しようとする課題】
【０００８】
本発明は、上記従来技術の問題点に鑑みてなされたもので、投入口と細断部がそれぞれ一つで紙葉類と記録媒体とを単一の投入口に投入して細断でき、細断効率の向上と装置のコンパクト化を図ることができると共に、カバーの開閉に応じて細断物を識別可能とし、記録媒体細断時の飛散に対する安全性を向上させたシュレッダーを提供することを目的とする。
【課題を解決するための手段】
【０００９】
上記課題を解決するために、本発明のシュレッダーは、内部に屑箱を有する筐体と、前記筐体の上部に形成され、紙葉類又は記録媒体の被細断物を投入可能な単一投入口と、上部に記録媒体挿入口が形成され、前記単一投入口を覆うように設けられ且つ開閉可能に設けられた記録媒体細断用カバーと、前記筐体の上部に形成され、前記紙葉類又は前記記録媒体の細断の可否を表示する表示ランプ部と、前記筐体内に設けられ、前記単一投入口から投入された前記被細断物を細断するための細断刃を備えた単一細断部と、を有し、前記単一投入口に投入される被細断物に向けられた複数のセンサーを設け、前記カバーの開閉に応じてセンサー検知の有無を切り替え、前記紙葉類と前記記録媒体の細断の可否を表示ランプ部に表示してなることを特徴とする。
【００１０】
このように、紙葉類のための投入口と記録媒体のための投入口を分けないため、製造コストに対する細断効率が向上し、シュレッダーをコンパクト化することが可能となる。
【００１１】
前記センサーが、前記記録媒体挿入口に挿入される被細断物を検知する記録媒体用センサーと、前記単一投入口に投入される被細断物を検知する紙葉類用センサーと、から構成され、前記記録媒体細断用カバーが閉じている時は記録媒体用センサーが検知状態となり、前記記録媒体細断用カバーが開いている時は記録媒体用センサーが非検知状態となるように構成するのが好ましい。
【００１２】
また、前記記録媒体挿入口が、前記記録媒体細断用カバーの中央に設けられ、前記記録媒体挿入口に挿入される被細断物に向けて一つの記録媒体用センサーを設け、前記記録媒体挿入口の領域外の前記単一投入口の長手方向両端部に向けて二つの紙葉類用センサーを設け、前記二つの紙葉類用センサーを、記録媒体の直径以上離間せしめて配置することにより、前記記録媒体細断用カバーが開いている時に前記記録媒体を投入しても細断されないようにしてなるのが好ましい。
【００１３】
前記記録媒体挿入口が、前記記録媒体細断用カバーの長手方向の一端部側に偏って設けられ、前記記録媒体挿入口に挿入される被細断物に向けて一つの記録媒体用センサーを設け、前記記録媒体挿入口の領域外かつ前記単一投入口の領域内に向けて一つの紙葉類用センサーを設けてなるように構成することもできる。
【００１４】
さらに、前記屑箱が、上部が開口された紙葉類用屑箱と前記紙葉類用屑箱の開口上部を覆うように載置可能な記録媒体用トレイを含み、前記記録媒体細断時には前記記録媒体用トレイを前記紙葉類用屑箱上に載置し、前記紙葉類細断時には前記記録媒体用トレイを前記紙葉類用屑箱の下に収納可能としてなり、前記記録媒体用トレイが検知板を備え、前記筐体内部に屑箱をセットした際に前記検知板がセンサー検知されると前記表示ランプ部に記録媒体の細断が可能であることが表示されてなるように構成するのが好適である。
【００１５】
このように構成することで、記録媒体用トレイには記録媒体の細断屑を収容し、紙葉類用屑箱に紙葉類の細断屑を収容することができるので、分別して廃棄することが容易となる。また、記録媒体用トレイがセットしてあるか否かが表示ランプ部に表示されるので、使用者にとって記録媒体用トレイの有無が一目瞭然となる。
【００１６】
また、カバーの開閉と記録媒体用トレイの有無を表示ランプと連携させることで、細断屑の混入をユーザーに促すことが出来、カバーの開閉とセンサーを連動させることで、カバーを閉めなくては記録媒体の細断が不可能となり、記録媒体細断時の細断屑の飛散をより確実に無くすことが出来る。
【発明の効果】
【００１７】
本発明のシュレッダーによれば、投入口と細断部がそれぞれ一つで紙葉類と記録媒体とを単一の投入口に投入して細断でき、細断効率の向上と装置のコンパクト化を図ることができると共に、カバーの開閉に応じて細断物を識別可能とし、記録媒体細断時の飛散に対する安全性を向上させたシュレッダーを提供することができるという著大な効果を奏する。
【図面の簡単な説明】
【００１８】
【図１】本発明のシュレッダーの一つの実施の形態を示す概略斜視図である。
【図２】本発明のシュレッダーに用いられる記録媒体細断用カバーの一つの実施の形態を示す概略説明図であり、記録媒体細断用カバーが閉じている状態を示す。
【図３】図２の記録媒体細断用カバーが開いている状態を示す。
【図４】本発明のシュレッダーに用いられる表示ランプ部の一つの実施の形態を示す概略説明図である。
【図５】本発明のシュレッダーに用いられる記録媒体細断用カバーの別の実施の形態を示す概略説明図であり、記録媒体細断用カバーが閉じている状態を示す。
【図６】本発明のシュレッダーに用いられる記録媒体用トレイを備えた屑箱の一つの実施の形態を示す概略斜視説明図である。
【図７】図６の記録媒体用トレイを紙葉類用屑箱上に載置してセットした状態を示す概略斜視説明図である。
【図８】図６の記録媒体用トレイを紙葉類用屑箱の下に収納した状態を示す。
【発明を実施するための形態】
【００１９】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００２０】
図１に本発明のシュレッダーの一つの実施の形態を示す。図１において、符号１０は本発明のシュレッダーを示す。シュレッダー１０は、内部に屑箱を有する筐体１２と、前記筐体１２の上部１３に形成され、紙葉類又は記録媒体の被細断物を投入可能な単一投入口１４と、上部に記録媒体挿入口１６が形成され、前記単一投入口１４を覆うように設けられ且つ開閉可能に設けられた記録媒体細断用カバー１８と、前記筐体１２の上部に形成され、前記紙葉類又は前記記録媒体の細断の可否を表示する表示ランプ部２０と、前記筐体１２内に設けられ、前記単一投入口１４から投入された前記被細断物を細断するための細断刃を備えた単一細断部（図示は省略）と、を有し、前記単一投入口１４に投入される被細断物に向けられた複数のセンサー２２を設け、前記記録媒体細断用カバー１８の開閉に応じてセンサー検知の有無を切り替え、前記紙葉類と前記記録媒体の細断の可否を表示ランプ部２０に表示してなるように構成されている。
【００２１】
図１において、符号２４はシュレッダーの主電源スイッチ、符号２６は停止／逆転などの操作パネル、符号２８はキャスター部材、符号３１は扉３３を開閉するための取っ手である。前記主電源スイッチ、前記操作パネルや前記単一細断部などの構成は公知のシュレッダーと同様である。
【００２２】
記録媒体を細断する場合には、図２に示すように、前記記録媒体細断用カバー１８を閉じておく。前記記録媒体細断用カバー１８が閉じている時は、図３に示される記録媒体用センサー３０が検知状態となり、ランプＡが点灯する。
【００２３】
前記センサー２２は、図３に示すように、前記記録媒体挿入口１６に挿入される被細断物を検知する記録媒体用センサー３０と、前記単一投入口１４に投入される被細断物を検知する紙葉類用センサー３２ａ，３２ｂと、から構成されている。また、前記記録媒体細断用カバー１８が開いている時は記録媒体用センサー３０が非検知状態となり、ランプＢが点灯する。図４に、表示ランプ部２０の一例を示す。
【００２４】
図１〜図３の例では、前記記録媒体挿入口１６が、前記記録媒体細断用カバー１８の中央に設けられ、前記記録媒体挿入口１６に挿入される被細断物に向けて一つの記録媒体用センサー３０を設け、前記記録媒体挿入口１６の領域外の前記単一投入口１４の長手方向両端部に向けて二つの紙葉類用センサー３２ａ，３２ｂを設け、前記二つの紙葉類用センサー３２ａ，３２ｂを、ＣＤ等のディスク状記録媒体の直径以上離間せしめて配置することにより、前記記録媒体細断用カバー１８が開いている時に前記記録媒体を投入しても細断されないように構成されている。
【００２５】
すなわち、図３に示されるように、前記記録媒体細断用カバー１８が開いている時は記録媒体用センサー３０は遮断され、記録媒体を投入しても細断されない。そして、ランプＡは消灯している。
【００２６】
一方、前記記録媒体細断用カバー１８が閉じている時は、図３に示される記録媒体用センサー３０が検知状態となり、ランプＡが点灯する。このときに、記録媒体を細断することが可能となる。
【００２７】
このように、図示例では、紙葉類用センサー３２ａ，３２ｂは、同時に検知しないと細断されない方式になっており、紙葉類用センサー３２ａと紙葉類用センサー３２ｂとの距離を１２０ｍｍ以上にすることで、ディスク状記録媒体（ＣＤの直径約１２０ｍｍ）を投入しても検知しない構成とされている。
【００２８】
一般的に使用される紙の寸法は、Ａ４縦２１０ｍｍ、Ａ５縦１４８ｍｍなので検知に差し支えないが、それ以下の寸法の紙葉類を細断する場合であっても、記録媒体細断用カバー１８を閉めれば細断が可能である。
【００２９】
上記した例では、センサーを三つ設けた例を示したが、図４に、センサーを二つ設けた例を示す。
【００３０】
図４において、記録媒体細断用カバー３４は記録媒体挿入口３６が、前記記録媒体細断用カバー３４の長手方向の一端部側に偏って設けられ、前記記録媒体挿入口３６に挿入される被細断物に向けて一つの記録媒体用センサー３８を設け、前記記録媒体挿入口３６の領域外かつ単一投入口１４の領域内に向けて一つの紙葉類用センサー４０が設けられている。
【００３１】
記録媒体細断用カバーが閉まっている時には、記録媒体用センサー３８が作動しており、記録媒体挿入口３６から被細断物を投入すると細断出来る。記録媒体細断用カバーが開いている時には、記録媒体用センサー３８と紙葉類用センサー４０の両方で被細断物を検知しないと細断は行われない。このように、上記したセンサーを三つ設けたトリプルセンサー仕様から、記録媒体挿入口３６を左右どちらかへ移動させ、記録媒体細断用カバー３４の長手方向一端部に偏って設けることで、センサーを二つ設けたダブルセンサーへの対応が出来る。
【００３２】
図６〜図８に、記録媒体の細断屑を収容するための記録媒体用トレイを備えた屑箱の一つの実施の形態を示す。
【００３３】
図６〜図８において、符号４４は、記録媒体の細断屑を収容するための記録媒体用トレイ４２を備えた屑箱である。
【００３４】
屑箱４４は、上部が開口された紙葉類用屑箱４６と前記紙葉類用屑箱４６の開口上部を覆うように載置可能な記録媒体用トレイ４２を含む。前記記録媒体用トレイ４２は上端部に検知板４８を備えており、シュレッダー１０の筐体１２内部に屑箱４４をセットした際に前記検知板４８がセンサーによって検知されると前記表示ランプ部２０に記録媒体の細断が可能であることが表示されてなる（図示例ではランプＢが点灯）ように構成されている。
【００３５】
記録媒体の細断時には、図７に示すように、記録媒体用トレイ４２を紙葉類用屑箱４６上に載置してセットする。
【００３６】
紙葉類の細断時には、図８に示すように、記録媒体用トレイ４２を紙葉類用屑箱４６の下に収納する。この記録媒体用トレイ４２収納時には、センサーは検知せず、表示ランプ部２０に記録媒体の細断が可能であることは表示されない（図示例ではランプＢが消灯）。
【００３７】
このように、屑箱４４は、記録媒体細断時には記録媒体用トレイ４２を紙葉類用屑箱４６上に載置し、紙葉類細断時には記録媒体用トレイ４２を紙葉類用屑箱４６の下に収納可能とされるとともに、シュレッダー１０の筐体１２内部に屑箱４４をセットした際に前記検知板４８がセンサーによって検知されると前記表示ランプ部２０に記録媒体の細断が可能であることが表示されてなる。
【００３８】
シュレッダー１０の筐体１２内部に屑箱４４をセットした際に前記検知板４８がセンサーによって検知されると前記表示ランプ部２０に記録媒体の細断が可能であることが表示されてなる機構については、例えば、屑箱４４内にレーザーセンサーの受信機及び送信機をセットしておき、かかるレーザーセンサーのセンシング領域に検知板４８が進入すると、図４に示すように、表示ランプ部２０のランプＢが点灯するように構成すればよい。なお、検知板４８をセンサー検知する機構については公知の種々の機構が採用できることは勿論である。
【符号の説明】
【００３９】
１０：シュレッダー、１２：筐体、１３：  上部、１４：単一投入口、１６：記録媒体挿入口、１８：記録媒体細断用カバー、２０：表示ランプ部、２２：複数のセンサー、２４：主電源スイッチ、２６：操作パネル、２８：キャスター部材、３０，３８：記録媒体用センサー、３１：取っ手、３２ａ，３２ｂ，４０：紙葉類用センサー、３３：扉、３４：記録媒体細断用カバー、３６：記録媒体挿入口、４２：記録媒体用トレイ、４４：屑箱、４６：紙葉類用屑箱、４８：検知板、Ａ，Ｂ：ランプ。
【図１】
2014171948.tif 000003
【図２】
2014171948.tif 000004
【図３】
2014171948.tif 000005
【図４】
2014171948.tif 000006
【図５】
2014171948.tif 000007
【図６】
2014171948.tif 000008
【図７】
2014171948.tif 000009
【図８】
2014171948.tif 000010